(57)【要約】【課題】  施工性が改善されたタイマー制御システムを提供する【解決手段】  予め設定されたタイムスケジュールに沿って負荷としての照明装置３の制御を指示する制御信号を自動的に送信するタイマー装置１と、タイマー装置１から受信された制御信号に応じて照明装置３を制御する少なくとも１個（図では２個）の負荷制御装置２とを備える。上記の制御信号は、電波を媒体とするワイヤレス信号として送受信される。制御信号が有線で送受信される場合に比べ、タイマー装置１と負荷制御装置２との間での配線作業が不要であるから、施工性が改善される。【選択図】図１
2011128017.tif 000002
【特許請求の範囲】
【請求項１】
予め設定されたタイムスケジュールに沿って負荷の制御を指示する制御信号を自動的に送信するタイマー装置と、それぞれタイマー装置から受信された制御信号に応じて負荷を制御する少なくとも１個の負荷制御装置とを備えるタイマー制御システムであって、
タイマー装置は、
少なくとも制御時刻を含む制御プログラムが少なくとも１個格納される記憶部と、
時刻を計時する計時部と、
負荷制御装置に対して負荷の制御を指示する制御信号を送信する送信部と、
計時部によって計時された時刻が、記憶部に格納されたいずれかの制御プログラムの制御時刻に一致したとき、該制御プログラムに応じた制御信号を送信するように送信部を制御する制御部とを有し、
負荷制御装置は、
タイマー装置の送信部から送信された制御信号を受信する受信部と、
受信部に受信された制御信号に応じて負荷を制御する負荷制御部とを有し、
タイマー装置の送信部と負荷制御装置の受信部との間で、制御信号がワイヤレス信号として送受信されることを特徴とするタイマー制御システム。
【請求項２】
タイマー装置は、音声による報知を行う音声報知部を備え、
制御部は、電気的光源を点灯させる負荷としての照明装置を制御する負荷制御装置に対して消灯を指示する制御信号を送信するように送信部を制御するタイミングよりも所定時間前に、消灯を音声により予告するように音声報知部を制御することを特徴とする請求項１記載のタイマー制御システム。
【発明の詳細な説明】
【技術分野】
【０００１】
本発明は、タイマー制御システムに関するものである。
【背景技術】
【０００２】
従来から、予め設定されたタイムスケジュールに沿って負荷の制御を指示する制御信号を自動的に送信するタイマー装置と、タイマー装置から受信された制御信号に応じて例えば照明器具や換気扇といった負荷を制御する負荷制御装置とを備えるタイマー制御システムが提供されている（例えば、特許文献１参照）。
【先行技術文献】
【特許文献】
【０００３】
【特許文献１】特開２００２−３２３５８３号公報
【発明の概要】
【発明が解決しようとする課題】
【０００４】
従来は、タイマー装置と各負荷制御装置とが有線で接続されていたため、負荷及び負荷制御装置を追加する場合には配線作業が必要であり、施工性が低かった。
【０００５】
本発明は、上記事由に鑑みて為されたものであり、その目的は、施工性が改善されたタイマー制御システムを提供することにある。
【課題を解決するための手段】
【０００６】
請求項１の発明は、予め設定されたタイムスケジュールに沿って負荷の制御を指示する制御信号を自動的に送信するタイマー装置と、それぞれタイマー装置から受信された制御信号に応じて負荷を制御する少なくとも１個の負荷制御装置とを備えるタイマー制御システムであって、タイマー装置は、少なくとも制御時刻を含む制御プログラムが少なくとも１個格納される記憶部と、時刻を計時する計時部と、負荷制御装置に対して負荷の制御を指示する制御信号を送信する送信部と、計時部によって計時された時刻が、記憶部に格納されたいずれかの制御プログラムの制御時刻に一致したとき、該制御プログラムに応じた制御信号を送信するように送信部を制御する制御部とを有し、負荷制御装置は、タイマー装置の送信部から送信された制御信号を受信する受信部と、受信部に受信された制御信号に応じて負荷を制御する負荷制御部とを有し、タイマー装置の送信部と負荷制御装置の受信部との間で、制御信号がワイヤレス信号として送受信されることを特徴とする。
【０００７】
この発明によれば、制御信号がワイヤレス信号として送受信されるので、制御信号が有線で送受信される場合に比べ、タイマー装置と負荷制御装置との間での配線作業が不要であるから、施工性が改善される。
【０００８】
請求項２の発明は、請求項１の発明において、タイマー装置は、音声による報知を行う音声報知部を備え、制御部は、電気的光源を点灯させる負荷としての照明装置を制御する負荷制御装置に対して消灯を指示する制御信号を送信するように送信部を制御するタイミングよりも所定時間前に、消灯を音声により予告するように音声報知部を制御することを特徴とする。
【０００９】
この発明によれば、照明装置が予告なしに消灯される場合に比べ、使用者の混乱が避けられやすい。
【発明の効果】
【００１０】
請求項１の発明によれば、予め設定されたタイムスケジュールに沿って負荷の制御を指示する制御信号を自動的に送信するタイマー装置と、それぞれタイマー装置から受信された制御信号に応じて負荷を制御する少なくとも１個の負荷制御装置との間で、制御信号がワイヤレス信号として送受信されるので、制御信号が有線で送受信される場合に比べ、タイマー装置と負荷制御装置との間での配線作業が不要であるから、施工性が改善される。
【００１１】
請求項２の発明によれば、タイマー装置は、音声による報知を行う音声報知部を備え、制御部は、電気的光源を点灯させる負荷としての照明装置を制御する負荷制御装置に対して消灯を指示する制御信号を送信するように送信部を制御するタイミングよりも所定時間前に、消灯を音声により予告するように音声報知部を制御するので、照明装置が予告なしに消灯される場合に比べ、使用者の混乱が避けられやすい。
【図面の簡単な説明】
【００１２】
【図１】本発明の実施形態の概略構成を示す説明図である。
【図２】同上を示すブロック図である。
【発明を実施するための形態】
【００１３】
以下、本発明を実施するための最良の形態について、図面を参照しながら説明する。
【００１４】
本実施形態は、図１に示すように、予め設定されたタイムスケジュールに沿って負荷としての照明装置３の制御を指示する制御信号を自動的に送信するタイマー装置１と、タイマー装置１から受信された制御信号に応じて照明装置３を制御する少なくとも１個（図では２個）の負荷制御装置２とを備えるものであり、上記の制御信号が、電波を媒体とするワイヤレス信号として送受信される点を特徴とする。
【００１５】
詳しく説明すると、タイマー装置１は、図２に示すように、制御プログラムの内容が入力される入力部１１と、入力部１１に入力された制御プログラムが少なくとも１個格納される記憶部１２と、時刻を計時する計時部１３と、ワイヤレス信号を送信する送信部１４と、入力部１１への入力に応じて記憶部１２の書き換えや計時部１３における時刻の変更を行うとともに、計時部１３によって計時された時刻と、記憶部１２に格納された制御プログラムとに応じて、負荷制御装置２に対して照明装置３の制御を指示する制御信号をワイヤレス信号として送信するように送信部１４を制御する制御部１５と、制御部１５によって制御されて各種の表示を行う表示部１６と、制御部１５によって制御されて音声による報知を行う音声報知部１７と、上記の各部を収納及び保持するハウジング１０とを備える。
【００１６】
入力部１１は、例えば複数個の押釦１１ａを用いて構成することができる。なお、入力部１１としては、使用者による操作入力を受け付けるタッチパネル等の他の周知の入力手段を用いてもよい。また、入力部１１として、上記のように使用者による操作入力を受け付けるものに代えて又は加えて、外部装置から有線又は無線での信号の入力を受け付ける通信手段を備えてもよい。上記のいずれの場合であっても入力部１１は周知技術で実現可能であるので、詳細な図示並びに説明は省略する。
【００１７】
記憶部１２としては、周知の不揮発性メモリを用いることができる。
【００１８】
計時部１３としては例えば水晶振動子を用いた周知のクォーツ時計を用いることができる。また、計時部１３は、計時されている時刻をアナログ表示するアナログ表示装置１３ａを有する。計時部１３における時刻の修正は、入力部１１への操作入力に応じて制御部１５が行うものとしてもよいし、計時部１３への直接の操作入力によって行われるものとしてもよい。いずれの場合であっても計時部１３は周知技術で実現可能であるので、詳細な図示並びに説明は省略する。
【００１９】
送信部１４は、電波を媒体とするワイヤレス信号をアンテナ１４ａから送信するものであり、周知の電子回路で実現可能であるので、詳細な図示並びに説明は省略する。
【００２０】
制御部１５は、マイコンと呼ばれる集積回路を用いて周知技術で実現可能であるので、詳細な図示並びに説明は省略する。
【００２１】
表示部１６は、液晶パネル１６ａや発光ダイオードといった表示素子と、制御部１５によって制御されて表示素子を駆動する駆動回路とで構成することができ、やはり周知技術で実現可能であるので、詳細な図示並びに説明は省略する。
【００２２】
音声報知部１７は、音声をデジタルデータに変換した音声データが格納された音声メモリと、例えば圧電スピーカーのようなスピーカーと、制御部１５の制御に応じて音声メモリに格納された音声データを音声として再生するようにスピーカーを駆動する駆動回路とで構成することができる。上記の音声メモリは書き換え不能なものとしてもよいし、音声メモリは書き換え可能なものとしてマイクロホンを設けるとともに入力部１１への操作入力に応じてマイクロホンから入力された音声が音声データに変換されて音声メモリに格納されるという構成を採用してもよい。いずれの場合にも音声報知部１７は周知技術で実現可能であるので、詳細な図示並びに説明は省略する。ハウジング１０には、音声報知部１７からの音声の出力のための複数個の音穴１７ａが設けられている。
【００２３】
負荷制御装置２は、タイマー装置１の送信部１４からワイヤレス信号として送信された制御信号を受信する受信部２１と、外部の電源（図示せず）から照明装置３への給電路に挿入されて照明装置３への給電をオンオフするリレー２３と、受信部２１に受信された制御信号に応じてリレー２３を制御することにより照明装置３をオンオフ制御する負荷制御部２２と、上記の各部を収納したハウジング２０とを備える。
【００２４】
受信部２１は、電波を媒体とするワイヤレス信号をアンテナ２１ａにより受信するものであり、周知の電子回路で実現可能であるので、詳細な図示並びに説明は省略する。
【００２５】
リレー２３としては例えば周知の電磁リレーを用いることができる。
【００２６】
負荷制御部２２は、マイコンと呼ばれる集積回路を用いて周知技術で実現可能であるので、詳細な図示並びに説明は省略する。
【００２７】
照明装置３は、電気的光源と、電気的光源を点灯させる点灯装置とからなる。電気的光源としては例えば放電灯や発光ダイオードを用いることができる。また、点灯装置としては、電気的光源として放電灯が用いられる場合には周知の電子安定器を用いることができ、電気的光源として発光ダイオードが用いられる場合には周知の直流電源回路を用いることができるといったように、周知技術で実現可能であるので、詳細な図示並びに説明は省略する。
【００２８】
以下、本実施形態の動作を説明する。制御プログラムは、実行されるべき時刻である制御時刻と、負荷制御装置２に対して予め対応付けられた制御アドレスと、オン又はオフの制御内容とを含む。タイマー装置１の制御部１５は、動作中、計時部１３によって計時されている時刻を監視し、記憶部１２に格納された各制御プログラムに含まれる制御時刻とそれぞれ比較する。そして、計時部１３によって計時されている時刻が、いずれかの制御プログラムに含まれる制御時刻に一致した場合、該制御プログラムに含まれる制御アドレスと制御内容とを含む制御信号を送信するように送信部１４を制御する。
【００２９】
負荷制御部２２は、負荷制御装置２毎に予め対応付けられた制御アドレスを保持しており、自身が保持する制御アドレスを含む制御信号が受信部２１に受信されたとき、該制御信号に含まれる制御内容に従ったオンオフ状態にリレー２３を制御することで照明装置３を制御する。また、制御信号が受信部２１に受信された場合であっても、自身が保持する制御アドレスが該制御信号に含まれていなければ、該制御信号を無視する。
【００３０】
また、タイマー装置１の制御部１５は、制御プログラムのうち制御内容が消灯である各制御プログラムについて、計時部１３によって計時されている時刻から制御時刻までの時間が所定の予告時間前となったとき、又は、タイマー装置１の電源が投入された時点や上記の制御プログラムが入力部１１に入力された時点で計時部１３によって計時されている時刻から制御時刻までの時間が上記の予告時間未満となっていたときに、それぞれ、音声報知部１７を制御し、照明装置３の消灯を予告する音声を出力させる。これにより、照明装置３が不意に消灯されることで使用者が混乱することを避けることができる。
【００３１】
上記構成によれば、制御信号がワイヤレス信号として送受信されるので、制御信号が有線で送受信される場合に比べ、タイマー装置１と負荷制御装置２との間での配線作業が不要であるから、施工性が改善される。
【００３２】
なお、負荷制御装置２によって制御される負荷は照明装置３に限られず、換気扇等の他の負荷であってもよい。
【００３３】
また、制御信号に従って行われる制御は上記のようなリレー２３を用いたオンオフ制御に限られず、例えば照明装置３の光出力の変更であってもよい。この場合であっても負荷制御装置２や照明装置３は周知技術で実現可能であるので詳細な説明は省略する。
【００３４】
さらに、制御信号が制御アドレスを含まず、負荷制御装置２が全ての制御信号に従って動作してもよい。この場合、制御信号を受信可能な範囲内の全ての負荷制御装置２において同時に制御が行われることになる。
【符号の説明】
【００３５】
１  タイマー装置
２  負荷制御装置
３  照明装置（請求項における負荷）
１２  記憶部
１３  計時部
１４  送信部
１５  制御部
１７  音声報知部
２１  受信部
２２  負荷制御部
【図１】
2011128017.tif 000003
【図２】
2011128017.tif 000004